(57)【要約】【課題】光が走るように見える表示を実現できるとともに、光源の数が少なくて小型化が容易な照明装置を提供する。【解決手段】導光体３２は透明樹脂により形成され、端面（光入射面）近傍にはＲＧＢ一体型ＬＥＤからなる光源３１が配置されている。また、導光体３２の下面側には、一次元の空間周波数を有するＤＯＥ（回折光学素子）３１が配置されている。一次元の空間周波数を有するＤＯＥ３１では、入射角が一定であるとすると、光は波長により異なる方向に回折する。このため、例えば光源３１を赤色、緑色、青色の順に点滅させると、光が導光体３２の表面を色を変えながら走るように表示される。【選択図】図２
2008084560.tif 000002
【特許請求の範囲】
【請求項１】
光が入射する入射面及び光が出射する出射面を有する導光体と、
相互に異なる波長の光を発生する複数の発光体により構成され、前記導光体の前記入射面の近傍に配置される光源と、
前記導光体の面上に配置された一次元の空間周波数を有する回折光学素子と
を有することを特徴とする照明装置。
【請求項２】
更に、前記光源を構成する複数の発光体の発光を個別に制御する制御部を有することを特徴とする請求項１に記載の照明装置。
【請求項３】
前記光源として、赤色発光素子、緑色発光素子及び青色発光素子が一体化されたＬＥＤが使用されていることを特徴とする請求項２に記載の照明装置。
【請求項４】
前記回折光学素子が、前記導光体の前記出射面側に設けられていることを特徴とする請求項２に記載の照明装置。
【請求項５】
前記導光体の前記出射面に対向する面側に、前記回折光学素子に入射する光の入射角を制御するプリズムが配置されていることを特徴とする請求項４に記載の照明装置。
【発明の詳細な説明】
【技術分野】
【０００１】
本発明は、携帯電話及びＰＤＡ等の電子機器に使用される照明装置に関し、特に光が走るように見える表示が可能な照明装置に関する。
【背景技術】
【０００２】
近年、携帯電話及びＰＤＡ（Personal Digital Assistant）等の電子機器では、光をインターフェースの一つとして捉え、様々なパターンで発光する照明装置が使用されるようになった。
【０００３】
図１（ａ）は、従来の照明装置の一例を示す模式図である。この照明装置では、導光体（ＬＧＰ：Light Guide Plate）１１の一方の端部にＬＥＤ（Light-Emitting Diode）１２ａが配置されており、他方の端部にＬＥＤ１２ｂが配置されている。これらのＬＥＤ１２ａ，１２ｂはいずれも赤色（Ｒ）発光体、緑色（Ｇ）発光体及び青色（Ｂ）発光体を一体化して構成されており、制御回路１３により赤色発光体、緑色発光体及び青色発光体の発光が個別に制御される。また、赤色発光体、緑色発光体及び青色発光体を同時に発光させると白色光が得られる。なお、導光体１１は、光を拡散させる拡散剤を混合した樹脂により形成されている。
【０００４】
この図１（ａ）に示す照明装置において、例えば左側に配置されたＬＥＤ１２ａを赤色に発光させ、右側に配置されたＬＥＤ１２ｂを青色に発光させると、導光体１１の表面に左側から右側に赤色から青色に連続的に変化するグラデーションが観察される。
【０００５】
図１（ｂ）は、従来の照明装置の他の例を示す模式図である。この照明装置では、導光体２１の下に複数のＬＥＤ２２ａ〜２２ｅが一方向に並んで配置されている。これらのＬＥＤ２２ａ〜２２ｅはいずれも赤色（Ｒ）発光体、緑色（Ｇ）発光体及び青色（Ｂ）発光体を一体化して構成されており、制御回路２３により赤色発光体、緑色発光体及び青色発光体が個別に制御される。この照明装置においても、導光体２１は光を拡散させる拡散剤を混合した樹脂により形成されている。
【０００６】
図１（ｂ）に示す照明装置では、例えば、ＬＥＤ２２ａ〜２２ｅを左側から順に赤色、黄色、緑色、水色及び青色に発光させると、導光体２１の表面に左側から右側に虹のように色が変化するグラデーションが観察される。なお、黄色は赤色発光体及び緑色発光体を同時に発光させることにより得られ、水色は緑色発光体及び青色発光体を同時に発光させることにより得られる。
【０００７】
特許文献１には、光源と光ファイバとの間にカラーフィルタを配置し、光ファイバと接続された導光板から出射される光の色を変化させることが記載されている。また、特許文献２には、ホログラムを用いて導光体から出射される光を虹色（レインボーカラー）とする光源ユニットが記載されている。
【特許文献１】特開２０００−７５２７０号公報
【特許文献２】特開２００１−３５６７０３号公報
【発明の開示】
【発明が解決しようとする課題】
【０００８】
光を情報表示のインターフェースとする場合、照明装置には種々の発光パターンが要求される。その中の一つに、光が走るように表示させるものがある。図１（ａ）に示す照明装置では、光が走るように見える表示を実現することはできない。また、図１（ａ）の照明装置では、両端部が明るく、中央部が暗くなるという欠点もある。導光体１１の中央部の拡散剤の分布密度を両側部よりも高くすることにより明るさを均一化することが可能ではあるが、その場合は導光体１１の製造が困難になるという問題が発生する。
【０００９】
図１（ｂ）の照明装置では、ＬＥＤ２２ａ〜２２ｅを順番に発光させることにより、光が走るように見える表示を実現できる。しかしながら、図１（ｂ）の照明装置では多くのＬＥＤが必要であるので、製品コストが高くなるだけでなく、照明装置自体が大型化して携帯電話等の小型且つ省電力が要求される電子機器に使用することが困難になるという問題が発生する。
【００１０】
以上から、本発明の目的は、光が走るように見える表示を実現できるとともに、光源の数が少なくて小型化が容易な照明装置を提供することである。
【課題を解決するための手段】
【００１１】
本発明の一観点によれば、光が入射する入射面及び光が出射する出射面を有する導光体と、相互に異なる波長の光を発生する複数の発光体により構成され、前記導光体の前記入射面の近傍に配置される光源と、前記導光体の面上に配置された一次元の空間周波数を有する回折光学素子とを有する照明装置が提供される。
【００１２】
本発明の照明装置は、複数の発光体により構成された光源と、導光体と、一次元の空間周波数を有する回折光学素子とにより構成されている。一次元の空間周波数を有する回折光学素子では、入射角が一定であるとすると、光は波長により異なる方向に回折される。本発明においては、この特性を利用して光が走るように見える表示を実現する。
【００１３】
例えば、光源として赤色発光体、緑色発光体及び青色発光体が一体化したＬＥＤを使用し、それらの発光体を同時に発光させると、光は回折光学素子により波長に応じた方向に回折される。このため、観察者には、赤色、緑色及び青色の光が分離して観察される。赤色発光体、緑色発光体及び青色発光体を一定の順番で点滅させると、光の色が変化するとともに、光の位置も変化する。すなわち、赤色発光体、緑色発光体及び青色発光体の発光を適切なタイミングで制御することにより、光が色を変えながら走るように見える表示が実現される。なお、光源は、相互に異なる波長を発生する複数の発光体により構成されていればよい。
【００１４】
回折光学素子を導光体の光出射面側に配置する場合、光出射面に対向する面側には、回折光学素子に入射する光の入射角を所定の角度に調整するプリズムを配置することが好ましい。また、入射面から導光体内に入射した光が直接回折光学素子に入射すると、ノイズ光となって所望の表示とならないことがある。このため、入射面から導光体内に進入した光が直接回折光学素子に進入することを阻止する部材を導光体内に設けてもよい。
【発明を実施するための最良の形態】
【００１５】
以下、本発明の実施形態について、添付の図面を参照して説明する。
【００１６】
（第１の実施形態）
図２（ａ）は、本発明の第１の実施形態に係る照明装置を示す模式図である。
【００１７】
本実施形態に係る照明装置は、光源３１と、導光体３２と、導光体３２の裏面（光が出射する面に対向する面）側に配置された反射型の回折光学素子（Diffractive Optical Elements：以下、「ＤＯＥ」という）３３と、光源３１の発光を制御する制御回路（制御部）３４とにより構成されている。
【００１８】
光源３１は、相互に異なる波長の光を発生する複数の発光体により構成されている。本実施形態においては、光源３１として、赤色（Ｒ）発光体、緑色（Ｇ）発光体及び青色（Ｂ）発光体が一体化したＲＧＢ一体型ＬＥＤを使用するものとする。制御回路３４は、光源３１を構成する赤色発光体、緑色発光体及び青色発光体の発光を個別に制御するものである。なお、光源３１としては、ＲＧＢ一体型ＬＥＤに限定されず、相互に異なる波長の光を発生する複数の発光体により構成されたものであればよい。それらの発光体がＲＧＢ一体型ＬＥＤのように１つのパッケージ内に収納されていることが好ましいが、個別にパッケージされているものを組み合わせて使用してもよい。他の実施形態においても同様である。
【００１９】
導光体３２はＰＭＭＡ（ポリメチルメタクリレート）等の透明樹脂又はガラス等により棒状（直方体形状）に形成されている。光源３１は、この導光体３２の一方の端面（入斜面）近傍に配置される。光源３１で発生した光は、導光体３２の端面を通って導光体３２内に進入する。
【００２０】
ＤＯＥ３３は上述したように導光体３２の裏面側に配置されており、一次元の空間周波数を有している。本実施形態では、ＤＯＥ３３が、導光体３２の裏面側に所定のピッチで配列した矩形状の凹凸により構成されているものとする。
【００２１】
一次元の空間周波数を有するＤＯＥ３３では、入射角が一定の場合、光は波長により異なる方向に回折し、赤色光は青色光よりも大きな角度で回折される。この特性を利用して、導光体３２の位置に応じて観察者から見える光の波長（色）が連続的に変化するように、ＤＯＥ３３の空間周波数と光源３１の位置とが決定されている。ここで、ＤＯＥ３３に対する光の入射角をθi、出射角をθo、ＤＯＥ３３の空間周波数（単位長さ当りのラインペア（凹凸）の本数）をｆ、光の波長をλ、回折光次数をＮとすると、それらの間には下記（１）式に示す関係がある。
【００２２】
ｓｉｎθi＋ｓｉｎθo＝Ｎｆλ  …（１）
図２（ａ）のように構成された本実施形態の照明装置において、光源３１の赤色発光体、緑色発光体及び青色発光体を同時に点灯した場合は、光源３１に近い側の端部近傍が青色、遠い側の端部近傍が赤色の虹色グラデーションが観察される。また、光源３１の赤色、緑色及び青色の各発光体の発光強度を所定のタイミングで変化させることにより、光が導光体３２の表面を色を変えながら走るように見える表示が実現される。
【００２３】
図２（ｂ）は、光源３１を赤色、緑色、青色の順に発光させたときの導光体３２の発光部（光って見える部分：以下同じ）の位置変化を模式的に示している。このように、本実施形態の照明装置においては、光源３１の赤色、緑色及び青色の発光体を順番に点灯及び消灯することにより、観察者には光が導光体３２の表面を左側から右側に色を変えながら走るように見える。
【００２４】
本実施形態の照明装置は光源３１の数が１つでよく、小型化且つ省電力化が容易である。これにより、携帯電話のように小型且つ省電力が要求される電子機器に使用することができる。本実施形態の照明装置は、例えば携帯電話において着信を知らせるときのイルミネーションに使用することができる。また、本実施形態の照明装置は、赤色発光体、緑色発光体及び青色発光体を制御することにより導光体３２の発光部の位置を変化させることができるので、例えばバッテリーの残量や電波状態等を示すインジケータとして使用することもできる。
【００２５】
なお、本実施形態ではＤＯＥ３３が一定のピッチで配列された凹凸により構成されているものとしたが、ＤＯＥ３３は、ピッチが連続的又は断続的に変化する凹凸により構成されていてもよい。
【００２６】
（第２の実施形態）
図３は、本発明の第２の実施形態に係る照明装置を示す模式図である。
【００２７】
本実施形態の照明装置は、光源４１と、導光体４２と、導光体４２の表面（光が出射する面）側に配置された透過型のＤＯＥ４３と、光源４１の発光を制御する制御回路４４とにより構成されている。
【００２８】
光源４１は、相互に異なる波長の光を発生する複数の発光体により構成されている。本実施形態においても、光源４１として、赤色発光体、緑色発光体及び青色発光体を一体化したＲＧＢ一体型ＬＥＤを使用するものとする。制御回路４４は、光源４１を構成する赤色発光体、緑色発光体及び青色発光体の発光を個別に制御するものである。
【００２９】
導光体４２はＰＭＭＡ等の透明樹脂により棒状（直方体形状）に形成されている。光源４１は、この導光体４２の一方の端面近傍に配置されている。光源４１で発生した光は、導光体４２の端面を通って導光体４２内に進入する。また、導光体４２の裏面側には、図中に円で囲んだ部分に拡大図を示すように、光を表面側に反射する多数のプリズム４５が設けられている。これらのプリズム４５は、導光体４２の裏面側に設けられた三角形状の凹凸により形成されている。
【００３０】
導光体４２の表面側に設けられたＤＯＥ４３は、一次元の空間周波数を有している。本実施形態においては、ＤＯＥ４３が導光体４２の表面に一定のピッチで設けられた矩形状の凹凸により構成されているものとする。
【００３１】
前述の（１）式からわかるように、一次元の空間周波数を有するＤＯＥでは、空間周波数（ｆ）が一定であるとすると、光の回折方向（θo）は入射角（θi）と波長（λ）とにより決定される。本実施形態では、ＤＯＥ４３により所定の波長の光が観察者の目の方向に回折されるように、光源４１からの光をプリズム４５により反射してＤＯＥ４３への光の入射角（θi）を調整している。これにより、導光体４２やＤＯＥ４３の設計時の自由度が大きくなり、照明装置の設計が容易になる。
【００３２】
図４（ａ）はＤＯＥ４３を示す平面図、図４（ｂ）は図４（ａ）のＩ−Ｉ線による断面図である。図４（ａ）において、黒く見える部分が凹部を示し、白く見える部分が凸部を示している。
【００３３】
この図４（ａ），（ｂ）に示すように、ＤＯＥ４３は一定のピッチで配列された矩形状の凹凸により構成されている。このＤＯＥ４３の空間周波数は単位長さ当りのライン数で表現される。例えば１ｍｍ当りに凹凸が２５０組あるとすると、空間周波数は２５０ラインピッチ（ｌｐ）／ｍｍとなる。
【００３４】
図５（ａ）〜（ｅ）は、ＤＯＥ４３の製造に使用する成形金型の製造方法の一例を示す模式図である。
【００３５】
まず、予め設定された空間周波数のパターンを描画したレチクル（露光マスク）を用意する。そして、図５（ａ）に示すように、シリコン基板５１の上にフォトレジストを塗布してフォトレジスト膜５２を形成する。次に、予め用意しておいたレチクルを使用してステッパ露光（縮小露光）を行い、その後現像処理して、図５（ｂ）に示すようにレチクルのパターンをレジスト膜５２に転写する。
【００３６】
次に、図５（ｃ）に示すように、シリコン基板５１の上側全面にＮｉ（ニッケル）をスパッタリングして、下地膜５３を形成する。その後、図５（ｄ）に示すように、下地膜７３の上にＮｉを十分な厚さになるまで電解めっきして、金属ブロック５４を形成する。
【００３７】
次いで、図５（ｅ）に示すように、金属ブロック５４をシリコン基板５１から取り外し、所定の形状に外形加工した後、補強板５５と接合して成形金型とする。但し、金属ブロック５４が十分な強度を有しているときは、補強板５５を接合することなく金属ブロック５４を成形金型としてもよい。
【００３８】
このようにして凹凸パターンが形成された成形金型を他の成形金型と組み合わせた後、それらの成形金型により形成される空間内にＰＭＭＡ等の透明樹脂を注入して、ＤＯＥ４３を有する導光体４２を成形する。
【００３９】
本実施形態の照明装置においても、第１の実施形態と同様に、光源４１の赤色発光体、緑色発光体及び青色発光体の発光を制御することにより、光が色を変えながら走るように見える表示を実現することができる。
【００４０】
（第３の実施形態）
図６は、本発明の第３の実施形態に係る照明装置を示す模式図である。
【００４１】
本実施形態の照明装置は、光源６１と、導光体６２と、導光体６２の表面（光が出射する面）側に配置された透過型のＤＯＥ６３と、光源６１の発光を制御する制御回路（図示せず）とにより構成されている。
【００４２】
導光体６２はＰＭＭＡ等の透明樹脂により棒状に形成されている。この導光体６２の一方の端面近傍にはＲＧＢ一体型ＬＥＤからなる光源６１が配置されている。また、導光体６２の裏面側にはプリズム面６２ａ，６２ｂ，６２ｃが設けられている。プリズム面６２ａは光源６１に近い側に配置され、プリズム面６２ｃは光源６１から遠い側に配置され、プリズム面６２ｂはそれらの中間に配置されている。プリズム面６２ａ，６２ｃは導光体６２の中心側に向けて傾斜した面であり、プリズム面６２ｂは導光体６２の上面と平行な面である。これらのプリズム面６２ａ〜６２ｃには、それぞれプリズム面６２ａ〜６２ｃで反射された光がＤＯＥ６３に所望の角度で入射するように微細なプリズム（図３のプリズム４５と同様のもの）が設けられている。
【００４３】
本実施形態では導光体６２の裏面側に傾斜角が相互に異なる３つのプリズム面６２ａ〜６２ｃを形成しているが、導光体６２の裏面側により多くのプリズム面を設けてもよい。また、必要に応じて、プリズム面６２ａ〜６２ｃの上にアルミニウム等の金属膜を蒸着し、プリズム面６２ａ〜６２ｃでより確実に光を反射するようにしてもよい。本実施形態においても、第２の実施形態と同様の効果を奏する。
【００４４】
ところで、このように構成された照明装置において、光源６１から導光体６２内に進入した光の一部は、プリズム面６２ａ〜６２ｃで反射されることなく直接ＤＯＥ６３に到達する。このような光により、所望の波長以外の光（ノイズ光）が観察者の目に届いて、所望のイルミネーション表示とならないことがある。そのため、ＤＯＥ６３には、所望の入射角条件に対して回折効率が高く、光源６１から直接（すなわち、プリズム面で反射されることなく）ＤＯＥ６３に届く光（以下、「不要光」という）に対して回折効率が低いものを使用する。
【００４５】
本実施形態では、Ｎ次回折光（但し、Ｎは０以外の任意の整数）が導光体６２の表面（出射面）に垂直な方向に出射するように、ＤＯＥ６３の空間周波数や光源６１の位置等を決定している。ＤＯＥ６３で回折しない光（０次回折光）はそのままＤＯＥ６３を通過するため、Ｎ次回折光と０次回折光との角度差を大きくする必要がある。ＤＯＥ６３の空間周波数が低いときは、Ｎが±１〜±３となるようにＤＯＥ６３の空間周波数を決定することが好ましい（前述の（１）式参照）。
【００４６】
このようにＤＯＥ６３の空間周波数を決定することにより、不要光は例えば図７中に破線で示すように垂直方向以外の方向に回折されて観察者に届かず、Ｎ次回折光（図７中に実線で示す）が観察者に観察されて所望のイルミネーション表示が得られる。
【００４７】
（第４の実施形態）
図８は、本発明の第４の実施形態に係る照明装置を示す模式図である。
【００４８】
本実施形態の照明装置は、ＲＧＢ一体型ＬＥＤからなる光源７１と、導光体７２と、導光体７２の表面（光が出射する面）側に配置された透過型のＤＯＥ７３と、光源７１の発光を制御する制御回路（図示せず）とにより構成されている。
【００４９】
導光体７２はＰＭＭＡ等の透明樹脂により棒状に形成されている。光源７１は、この導光体７２の一方の端面近傍には配置されている。導光体７２内には、不要光のＤＯＥ７３への進入を阻止する複数のプリズム７４が設けられている。この導光体７２は、図９に示す方法により形成される。
【００５０】
すなわち、上面が平坦な棒状（直方体形状）の第１の導光体７２ａと、上面側にＤＯＥ７３が形成され、下面側に三角形状の凹凸からなるプリズム７４とが設けられた第２の導光体７２ｂとを個別に形成する。その後、第１の導光体７２ａと第２の導光体７２ｂとを光学接着剤により接合して一体化し、導光体７２を形成する。
【００５１】
本実施形態の照明装置においては、図１０に示すように、光源７１から出力された光は、プリズム７４の傾斜面で反射され、ＤＯＥ７３に所定の角度で入射する。この場合、プリズム７４の位置に応じてプリズム７４の傾斜面に対する入射角θinが異なるので、ＤＯＥ７３の位置に応じてＤＯＥ７３に対する光の入射角も異なる。ＤＯＥ７３の位置に応じて所望の角度で光が入射するように、各プリズム７４の傾斜面の角度θが決定される。また、本実施形態においては、プリズム７４により、導光体７２の端面から導光体内７２内に入射した光がＤＯＥ７３に直接進入することが阻止されるので、それら光によるノイズ光の発生が回避される。
【００５２】
なお、導光体７２の裏面側には、裏面で反射された光がＤＯＥ７３に入射してノイズ光が発生することを防止するために、光を吸収する黒塗装を施してもよい。
【００５３】
（第５の実施形態）
図１１（ａ）は本発明の第５の実施形態に係る照明装置を示す上面図、図１１（ｂ）は同じくその照明装置を図１１（ａ）に矢印で示す方向から見たときの側面図である。
【００５４】
本実施形態に係る照明装置は、ＲＧＢ一体型ＬＥＤからなる光源８１と、導光体８２と、導光体８２の上面のうち光が出射する部分に設けられたＤＯＥ８３と、光源８１を制御する制御部（図示せず）とにより構成されている。
【００５５】
本実施形態においては、図１１（ａ），（ｂ）に示すように、導光体８２の一方の側部には、光源８１から出射された光を水平方向に反射するプリズム面（第１の反射部）８２ａ，８２ｂ，８２ｃが設けられている。これらのプリズム面８２ａ，８２ｂ，８２ｃには、第３の実施形態と同様に、ＤＯＥ８３に対する光の入射角が所定の角度となるように光を反射するプリズムが設けられている。プリズム面８２ａ，８２ｂ，８２ｃで反射された光は、更にＤＯＥ８３の下方に設けられた４５度反射面（第２の反射部）８２ｄにより垂直方向に反射され、ＤＯＥ８３に入射される。
【００５６】
携帯電話では、できる限り薄くすることが要求されており、照明装置の厚さが制限されることがある。本実施形態の照明装置では、光源８１から出射された光がプリズム面８１ａ，８２ｂ，８２ｃで水平面内に反射され、その後４５度反射面８２ｄにより垂直方向に反射されてＤＯＥ８３に入射されるので、照明装置を薄くすることができる。
【００５７】
（ＤＯＥの特性）
図１２（ａ）は透過回折における０次回折光、±１次回折光、±２次回折光、…の入射角と回折効率との関係を示す図、図１２（ｂ）は反射回折における０次回折光、±１次回折光、±２次回折光、…の入射角と回折効率との関係を示す図である。また、図１３（ａ）は透過回折における０次回折光、±１次回折光、±２次回折光、…の入射角と回折効率との関係を示す図、図１３（ｂ）は反射回折における０次回折光、±１次回折光、±２次回折光、…の入射角と回折効率との関係を示す図である。但し、図１２（ａ），（ｂ）ではＤＯＥの空間周波数を約２５０ラインペア／ｍｍとし、図１３（ａ），（ｂ）ではＤＯＥの空間周波数を約７００ラインペア／ｍｍとしている。また、ＤＯＥの断面形状はいずれも矩形状であり、位相変調をλ／２としている。なお、これらの図において、Ｔは透過光を示し、Ｒは反射光を示している。また、Ｔ０は０次回折光を示し、Ｒ０は鏡面反射光を示している。
【００５８】
図１２（ａ），図１３（ａ）に示すように、透過回折の場合は、導光体からＤＯＥに入射する光の入射角が約３０度以下の範囲において、±１次及び±２次回折光で高い効率が安定して得られている。また、光源からの光がＤＯＥに直接入射する（直接入射条件となる）入射角７５度以上の場合は、０次回折光を含め、±１次及び±２次等のＮ次回折光は殆ど０であり、導光体の外に光が出射し、ノイズ光となることはない。
【００５９】
一方、図１２（ｂ），図１３（ｂ）に示すように、反射回折の場合は、直接入射条件となる入射角７５度以上の場合に、０次回折光（Ｒ０）の回折効率が大きく、±１次及び±２次等のＮ次回折光の発生が抑えられ、導光体内で新たな角度のノイズ光が発生することはない。すなわち、導光板内では０次回折光のみが全反射し伝搬するので、イルミネーション表示に影響を与えない。
【００６０】
これらの図１２（ａ），（ｂ）、図１３（ａ），（ｂ）から、ＤＯＥの空間周波数を２５０ラインペア／ｍｍ又は約７００ラインペア／ｍｍとし、入射角（導光体からＤＯＥに対する入射角）を３０度以下の条件で用いることで、不要光の影響を排除することができて、回折光による所望のイルミネーション表示が可能であることがわかる。
【００６１】
（イルミネーション表示の例）
図１４（ａ），（ｂ）は、いずれも上述した第１〜第５の実施形態の照明装置において、光が走るように見える表示を行うときの光源の点灯パターンを示している。図１４（ａ）に示すように赤色発光体、緑色発光体及び青色発光体に印加する電圧を瞬間的に切換えることにより、各発光体の発光強度（赤色（Ｒ）強度、緑色（Ｇ）強度、青色（Ｂ）強度）が瞬間的に変化し、光が導光体の表面を走りながら、赤色、黄色、緑色、水色、青色、黒色の順に変化するイルミネーションが表示される。
【００６２】
また、図１４（ｂ）に示すように赤色発光体、緑色発光体及び青色発光体に印加する電圧を徐々に上昇又は下降させることにより、各発光体の発光強度（赤色（Ｒ）強度、緑色（Ｇ）強度、青色（Ｂ）強度）が徐々に変化し、光が徐々に色を変化させながら導光体の表面を走るイルミネーションが表示される。
【００６３】
以下、本発明の諸態様を、付記としてまとめて記載する。
【００６４】
（付記１）光が入射する入射面及び光が出射する出射面を有する導光体と、
相互に異なる波長の光を発生する複数の発光体により構成され、前記導光体の前記入射面の近傍に配置される光源と、
前記導光体の面上に配置された一次元の空間周波数を有する回折光学素子と
を有することを特徴とする照明装置。
【００６５】
（付記２）更に、前記光源を構成する複数の発光体の発光を個別に制御する制御部を有することを特徴とする付記１に記載の照明装置。
【００６６】
（付記３）前記光源として、赤色発光素子、緑色発光素子及び青色発光素子が一体化されたＬＥＤが使用されていることを特徴とする付記２に記載の照明装置。
【００６７】
（付記４）前記回折光学素子が、前記導光体の前記出射面に対向する面側に設けられていることを特徴とする付記２に記載の照明装置。
【００６８】
（付記５）前記回折光学素子が、前記導光体の前記出射面側に設けられていることを特徴とする付記２に記載の照明装置。
【００６９】
（付記６）前記導光体の前記出射面に対向する面側に、前記回折光学素子に入射する光の入射角を制御するプリズムが配置されていることを特徴とする付記５に記載の照明装置。
【００７０】
（付記７）前記導光体内に、前記入射面から入射した光が前記回折光学素子に直接進入することを阻止する部材が設けられていることを特徴とする付記５に記載の照明装置。
【００７１】
（付記８）前記部材がプリズムであり、前記プリズムの面で反射した光が前記回折光学素子に入射することを特徴とする付記７に記載の照明装置。
【００７２】
（付記９）前記導光体が、前記入射面から入射した光を面内方向に反射する第１の反射部と、前記第１の反射部で反射された光を前記面内方向に直交する方向に反射する第２の反射部とを有し、前記回折光学素子には前記第２の反射部で反射された光が入射することを特徴とする付記５に記載の照明装置。
【００７３】
（付記１０）前記回折光学素子として、前記導光体から入射角７５度以上で入射する光の回折効率が入射角３０度以下で入射する光の回折効率よりも低いものが使用されていることを特徴とする付記１に記載の照明装置。
【図面の簡単な説明】
【００７４】
【図１】図１（ａ），（ｂ）は、いずれも従来の照明装置を示す模式図である。
【図２】図２（ａ）は、本発明の第１の実施形態に係る照明装置を示す模式図、図２（ｂ）は同じくその照明装置において光源を赤色、緑色、青色の順に発光させたときの導光体の発光部の位置変化を示す模式図である。
【図３】図３は、本発明の第２の実施形態に係る照明装置を示す模式図である。
【図４】図４（ａ）はＤＯＥ（回折光学素子）を示す平面図、図４（ｂ）は図４（ａ）のＩ−Ｉ線による断面図である。
【図５】図５（ａ）〜（ｅ）は、ＤＯＥの製造に使用する成形金型の製造方法の一例を示す模式図である。
【図６】図６は、本発明の第３の実施形態に係る照明装置を示す模式図である。
【図７】図７は、ＤＯＥにより回折されたＮ次回折光と不要光との進行方向を示す模式図である。
【図８】図８は、本発明の第４の実施形態に係る照明装置を示す模式図である。
【図９】第４の実施形態の照明装置の導光体の形成方法を示す模式図である。
【図１０】図１０は、第４の実施形態においてＤＯＥに届く光を示す模式図である。
【図１１】図１１（ａ）は本発明の第５の実施形態に係る照明装置を示す上面図、図１１（ｂ）は同じくその照明装置を図１１（ａ）に矢印で示す方向から見たときの側面図である。
【図１２】図１２（ａ）は透過回折における０次回折光、±１次回折光、±２次回折光、…の入射角と回折効率との関係を示す図、図１２（ｂ）は反射回折における０次回折光、±１次回折光、±２次回折光、…の入射角と回折効率との関係を示す図である。
【図１３】図１３（ａ）は透過回折における０次回折光、±１次回折光、±２次回折光、…の入射角と回折効率との関係を示す図、図１３（ｂ）は反射回折における０次回折光、±１次回折光、±２次回折光、…の入射角と回折効率との関係を示す図である。
【図１４】図１４（ａ），（ｂ）は、いずれも光が走るように見える表示を行うときの光源の点灯パターンを示すタイミングチャートである。
【符号の説明】
【００７５】
１１，２１，３２，４２，６２，７２，８２…導光体、
１２ａ，１２ｂ，２２ａ〜２２ｅ…ＬＥＤ、
１３，２３，３４…制御回路、
３１，４１，４４，６１，７１，８１…光源、
３３，４３，６３，７３，８３…ＤＯＥ（回折光学素子）、
４４，７４…プリズム、
５５…シリコン基板、
５２…フォトレジスト膜、
５３…下地膜、
５４…金属ブロック、
５５…補強板。
【図１】
2008084560.tif 000003
【図２】
2008084560.tif 000004
【図３】
2008084560.tif 000005
【図４】
2008084560.tif 000006
【図５】
2008084560.tif 000007
【図６】
2008084560.tif 000008
【図７】
2008084560.tif 000009
【図８】
2008084560.tif 000010
【図９】
2008084560.tif 000011
【図１０】
2008084560.tif 000012
【図１１】
2008084560.tif 000013
【図１２】
2008084560.tif 000014
【図１３】
2008084560.tif 000015
【図１４】
2008084560.tif 000016